(57)【要約】  比較的薄型、小型のスピーカ装置であっても、引出線と他の部材との接触による異音の発生を低減すること、引出線の断線を低減すること、音質の劣化を低減すること。  ボイスコイル３３が遊嵌する磁気ギャップが形成された磁気回路２と、ボイスコイル３３に直接又は間接的に固着された振動体３と、該振動体３を支持するとともに磁気回路２を内在するフレーム５と、ボイスコイル３３の引出線４が接続される端子部６とを有し、磁気ギャップＧに遊嵌したボイスコイル３３と、フレーム５に設けられた端子部６との間に、ボイスコイル３３から引き出された引出線４が通る引出通路７が配置されている。
2009016743.tif 000002
【特許請求の範囲】
【請求項１】
ボイスコイルが遊嵌する磁気ギャップが形成された磁気回路と、前記ボイスコイルに直接又は間接的に固着された振動体と、該振動体を支持するとともに前記磁気回路を内在するフレームと、前記ボイスコイルの引出線が接続される端子部とを備え、
前記磁気ギャップに遊嵌したボイスコイルと、前記フレームに設けられた前記端子部との間に、前記ボイスコイルから引き出された引出線が通る引出通路が配置されていることを特徴とするスピーカ装置。
【請求項２】
前記引出線は、前記磁気回路の引出通路と前記端子部との間に屈曲形状の余長部を有することを特徴とする請求項１に記載のスピーカ装置。
【請求項３】
前記磁気回路は、底面部から音響放射側に向って延出した側部を備える断面Ｕ字形状のヨークと、前記ヨークの底面部に設けられた磁石と、前記磁石上に設けられたプレートとを有し、
前記磁気回路の引出通路は、前記ヨークの側部に形成された切欠部を備えることを特徴とする請求項１に記載のスピーカ装置。
【請求項４】
前記フレームには、前記磁気回路の引出通路と前記端子部との間に、前記引出線の余長部が配置されるように該端子部が形成されていることを特徴とする請求項１に記載のスピーカ装置。
【請求項５】
前記振動体は、振動板と、該振動板と前記フレーム間に設けられたエッジとを有し、
前記引出線は、余長部が、前記エッジと前記フレームの間に位置するように規定されていることを特徴とする請求項１に記載のスピーカ装置。
【請求項６】
前記ボイスコイルは、一対の引出線を備え、
前記一対の引出線は、前記ボイスコイルの中心点に対して略点対称な形状に規定されていることを特徴とする請求項１に記載のスピーカ装置。
【請求項７】
前記引出線は、前記ボイスコイルの巻き始めから巻き終わりまでの導電線に起因するボイスコイルの重心の偏りに応じて、当該ボイスコイルのバランスを取れるように、当該引出線の形状が規定されていることを特徴とする請求項１に記載のスピーカ装置。
【請求項８】
前記引出線は、屈曲部を備え、
前記ボイスコイルの重心位置、および前記引出線の屈曲部の位置が、前記ボイスコイルの中心点を通る対角線を挟んで互いに反対側となるように規定されていることを特徴とする請求項７に記載のスピーカ装置。
【請求項９】
前記ボイスコイルは、前記ボイスコイルの音響放射側に対して反対側の端部から前記引出線が引き出されていることを特徴とする請求項１に記載のスピーカ装置。
【請求項１０】
前記フレームは、前記磁気回路の引出通路と前記端子部の間に、前記引出線を支持する支持部を有することを特徴とする請求項１に記載のスピーカ装置。
【請求項１１】
前記磁気回路は、矩形状に形成され、
前記磁気回路の引出通路は、前記磁気回路の角部に形成されていることを特徴とする請求項１に記載のスピーカ装置。
【請求項１２】
前記磁気回路の引出通路は、対向する角部に形成され、
前記フレームは、前記磁気回路の引出通路が形成されていない角部の近傍に前記端子部が形成されていることを特徴とする請求項１１に記載のスピーカ装置。
【請求項１３】
前記ボイスコイルは、少なくとも直線部を備えるトラック形状または略矩形状に規定されており、
前記引出線は、前記ボイスコイルの直線部から引き出されていることを特徴とする請求項１に記載のスピーカ装置。
【請求項１４】
前記引出線は、複数の屈曲部を有することを特徴とする請求項１に記載のスピーカ装置。
【請求項１５】
前記磁気回路は、内磁型磁気回路または外磁型磁気回路であることを特徴とする請求項１に記載のスピーカ装置。
【発明の詳細な説明】
【技術分野】
【０００１】
本発明は、スピーカ装置に関する。
【背景技術】
【０００２】
一般的なスピーカ装置では、振動板に固定されたボイスコイルが、磁気回路の磁気ギャップ内に振動自在に配置されている。ボイスコイルから引き出された引出線（リード線）は、スピーカフレームに設けられた端子部に導通した状態で固定されている。
例えば、一般的なスピーカ装置では、リード線がボイスコイルと端子部の間を直線状に接続した構造ではなく、リード線に屈曲部などの余長部を設けた構造を有する（例えば、特許文献１参照）。
上記スピーカ装置では、リード線に屈曲部を設けることにより、リード線がボイスコイルの変位に追従することができるとともに、リード線にかかる応力が低減する。
【特許文献１】特開２００３−３４８６９０号公報
【発明の開示】
【発明が解決しようとする課題】
【０００３】
しかし、比較的薄型のスピーカ装置や小型のスピーカ装置では、ボイスコイルの引出線の設置スペースに制約があるので、例えば引出線の余長部が磁気回路、振動板、エッジ部などに接触して異音が発生する場合がある。また、この接触により引出線と端子部の接続部に応力が生じて断線が生じる場合がある。【０００４】
また、比較的薄型や小型のスピーカ装置では、ボイスコイルと端子部の間の引出線の形状（経路）が、ボイスコイルの重量バランスに比較的大きく影響し、重量バランスに偏りがあると、不要な振動が生じて、音質が劣化する場合がある。【０００５】
本発明は、このような問題に対処することを課題の一例とするものである。すなわち、比較的薄型、小型のスピーカ装置であっても、引出線と他の部材との接触による異音の発生を低減すること、引出線の断線を低減すること、音質の劣化を低減すること、等が本発明の目的である。
【課題を解決するための手段】
【０００６】
このような目的を達成するために、本発明は、以下の各独立請求項に係る構成を少なくとも具備するものである。【０００７】
本発明に係るスピーカ装置は、ボイスコイルが遊嵌する磁気ギャップが形成された磁気回路と、前記ボイスコイルに直接又は間接的に固着された振動体と、該振動体を支持するとともに前記磁気回路を内在するフレームと、前記ボイスコイルの引出線が接続される端子部とを有するスピーカ装置であって、前記磁気回路は、前記磁気ギャップに遊嵌したボイスコイルと、前記フレームに設けられた前記端子部の間に、前記ボイスコイルから引き出された引出線が通る引出通路を有することを特徴とする。
【図面の簡単な説明】
【０００８】
【図１】本発明の第１実施形態に係るスピーカ装置１の平面図である。
【図２】（Ａ）は図１に示したスピーカ装置１の視認方向Ｄ１からみた断面図であり、（Ｂ）は図１に示したスピーカ装置１の視認方向Ｄ２からみた図である。
【図３】本発明の第２実施形態に係るスピーカ装置１Ａの平面図である。
【図４】本発明の第３実施形態に係るスピーカ装置１Ｂの平面図である。
【図５】図４に示したスピーカ装置１Ｂの視認方向Ｄ１からみた断面図である。
【図６】本発明の第４実施形態に係るスピーカ装置１Ｃの平面図である。
【図７】図６に示したスピーカ装置１Ｃの断面図である。
【図８】図７に示したスピーカ装置１Ｃの引出線４付近の拡大断面図である。
【図９】図６に示したスピーカ装置１Ｃの磁気回路２Ｃの分解斜視図である。
【図１０】（Ａ）は本発明の第１具体例に係るスピーカ装置の引出通路の側面図であり、（Ｂ）は本発明の第２具体例に係るスピーカ装置の引出通路の側面図である。
【図１１】（Ａ）は本発明の一実施形態に係るスピーカ装置のボイスコイル３３Ｄを説明するための正面図であり、（Ｂ）は（Ａ）に示したボイスコイルの導電線４０１の巻き始め位置付近の拡大図であり、（Ｃ）は（Ａ）に示したボイスコイルの導電線４０１の巻き終り位置付近の拡大図であり、（Ｄ）は（Ｂ）に示したボイスコイルの変形例であり、（Ｅ）は（Ｃ）に示したボイスコイルの変形例である。
【図１２】本発明の第５実施形態に係るスピーカ装置１Ｆの平面図である。
【図１３】本発明の第６実施形態に係るスピーカ装置１Ｇの平面図である。
【発明を実施するための最良の形態】
【０００９】
本発明に係るスピーカ装置は、ボイスコイルが遊嵌する磁気ギャップが形成された磁気回路と、前記ボイスコイルに直接又は間接的に固着された振動体と、該振動体を支持するとともに前記磁気回路を内在するフレームと、ボイスコイルの引出線が接続される端子部とを有を備え、磁気ギャップに遊嵌したボイスコイルと、フレームに設けられた端子部との間に、ボイスコイルから引き出された引出線が通る引出通路が配置されていることを特徴とする。【００１０】
上記構成のスピーカ装置では、磁気回路が、磁気ギャップに遊嵌したボイスコイルと、フレームに設けられた端子部の間に、ボイスコイルから引き出された引出線が通る引出通路を有し、ボイスコイルの引出線が、ボイスコイルから引出通路を通ってフレームに設けられた端子部に電気的に接続されるので、例えば引出線が、磁気回路、振動板、およびエッジ部、などに接触することを防止することができ、異音の発生を低減することができる。また、比較的高音質の薄型のスピーカ装置を提供することができる。また、比較的高音質の小型のスピーカ装置を提供することができる。
また、引出線と他の部材との接触が低減するので、接触による引出線の断線を低減することができる。【００１１】
以下、本発明の一実施形態に係るスピーカ装置を、図面を参照しながら説明する。【００１２】
［第１実施形態］
図１は本発明の第１実施形態に係るスピーカ装置１の平面図である。図２（Ａ）は図１に示したスピーカ装置１の視認方向Ｄ１からみた断面図であり、図２（Ｂ）は図１に示したスピーカ装置１の視認方向Ｄ２からみた図である。図１において、スピーカ装置１の振動板とエッジは省略している。【００１３】
本実施形態に係るスピーカ装置１は、図１に示すように、比較的薄型で小型のスピーカ装置である。また、本実施形態に係るスピーカ装置１は、例えば携帯電話機やイヤホンなどのスピーカ装置に採用される。【００１４】
図１に示すように、本実施形態に係るスピーカ装置１は、磁気回路２、振動体３、ボイスコイル３３、引出線４、フレーム５、端子部６を有する。磁気回路２は、ボイスコイル３３の引出線４が通る引出通路７を有する。【００１５】
磁気回路２は本発明に係る磁気回路の一実施形態に相当し、振動体３は本発明に係る振動体の一実施形態に相当し、フレーム５は本発明に係るフレームの一実施形態に相当する。ボイスコイル３３は本発明に係るボイスコイルの一実施形態に相当し、引出線４は本発明に係る引出線の一実施形態に相当し、端子部６は本発明に係る端子部の一実施形態に相当する。引出通路７は本発明に係る引出通路の一実施形態に相当する。【００１６】
磁気回路２としては、例えば、内磁型磁気回路、外磁型磁気回路等を採用することができる。本実施形態に係る磁気回路は、内磁型磁気回路を採用する。磁気回路２は、ボイスコイル３３が遊嵌する磁気ギャップＧを備える。【００１７】
詳細には、本実施形態に係る磁気回路２は、ヨーク２１、磁石２２、プレート２３を有する。
ヨーク２１は、底面部２１Ａ、屈曲部２１Ｂ、および側部２１Ｃを有する。本実施形態に係るヨーク２１は、例えば図１，２に示すように、平板で略円形状の底面部２１Ａと、底面部２１Ａから音響放射側（ＳＤ）に向って屈曲した形状の屈曲部２１Ｂと、その屈曲部２１Ｂから音響放射側に向って延出した筒状の側部２１Ｃを有する。また、図２に示すように、ヨーク２１は、断面形状が略Ｕ字形状に形成されている。ヨーク２１の底面部２１Ａ、屈曲部２１Ｂ、および側部２１Ｃは、例えば鉄などの公知の形成材料により一体成形されている。【００１８】
また、ヨーク２１は、ヨークの側部２１Ｃに形成された切欠部７１を有する。この切欠部７１は引出通路７の一実施形態に相当する。この引出通路７は、磁気ギャップＧに遊嵌したボイスコイル３３と、フレーム５に設けられた端子部６の間に設けられている。
また、切欠部７１は、図１に示すように、ボイスコイル３３の引き出し位置の近傍に形成されている。本実施形態に係る切欠部７１は、ボイスコイル３３の中心軸に対して略点対称の位置に所定の間隔で形成されている。
また、本実施形態に係るヨーク２１は、例えば図２（Ａ），（Ｂ）に示すように、ヨーク２１の上端部２１Ｄから底面部２１Ａに向かって所定の長さの略Ｕ字形状の切欠部７１が形成されている。ボイスコイル３３から引き出された引出線４は、この切欠部７１を通って、フレーム５に設けられた端子部６に接続されている。例えば、引出線４は端子部６に、はんだ接続、熱圧着等により接続される。【００１９】
引出線４は、上記切欠部７１に対して、規定間隔を開けて配置される。詳細には、引出線４の形状、および引出通路７の切欠部７１の形状、切欠部７１の形成位置に対する端子部６の形成位置、切欠部７１の形成位置に対する支持部５１の位置は、例えばボイスコイル３３が上下方向（音響放射方向）に振動した場合であっても、引出線４が少なくともヨーク２１、フレーム５、エッジ３２、切欠部７１に接触しないように規定されている。【００２０】
磁石２２は、例えば、ネオジウム系、サマリウム・コバルト系、フェライト系、アルニコ系、等の規定材料を含む永久磁石である。磁石２２は、図２（Ａ）に示すように、ヨーク２１の底面部２１Ａ上に設けられている。本実施形態に係る磁石２２は、円柱形状に形成されている。【００２１】
プレート２３は、例えば鉄などの規定材料によりからなり、図２（Ａ）に示すように、磁石２２上に設けられている。本実施形態に係るプレート２３は、例えば円形の平板形状に形成されている。【００２２】
上記構成の磁気回路２では、ヨーク２１とプレート２３の間に周方向に沿って磁気ギャップＧが形成されている。【００２３】
振動体３は、ボイスコイル３３に直接又はボイスコイルボビン等の部材を介して間接的に固着されている。
本実施形態に係る振動体３は、例えば図１，図２に示すように、振動板３１、エッジ３２を有する。【００２４】
振動板３１は、例えば、平板形状、ドーム形状、コーン形状、等の規定の形状に形成されている。振動板３１は、エッジ３２を介してフレーム５に振動自在に固定されている。詳細には、振動板３１は、振動板３１の外周部が、エッジ３２の内周部に接着剤などにより固着されている。
本実施形態に係る振動板３１は、円形の平板形状に形成されており、音響放射側の面に対して反対側の面に、ボイスコイル３３の上端部が、例えば接着剤等により固着されている。振動板３１の形成材料は、例えば、アルミ、チタン、ベリリウム、等の金属材料や、ポリアリレート、ポリイミド、ポリエチレンナフタレート等の樹脂、プラスチック、紙、強化プラスチック繊維、セラミックス材料、などの公知の材料を採用することができる。【００２５】
エッジ３２は、外周部がフレーム５の上端部５Ａに接着剤などにより固定されており、内周部が振動板３１の外周に固着しており、振動板３１を振動自在に支持する。エッジ３２は、断面形状が、音響放射側に向って凸形状、Ｕ字形状、Ｖ字形状、波型形状、平板形状、等の規定形状に形成されている。本実施形態に係るエッジ３２は、断面形状が音響放射側にＵ字形状（凹形状）に形成されている。【００２６】
振動板３１とエッジ３２は、樹脂などの同一の材料により一体成形されていてもよい。【００２７】
本実施形態に係るボイスコイル３３は、例えば、図１，２に示すように、リング状に形成されている。このボイスコイル３３は導電線が巻き回されて形成されている。ボイスコイル３３は、磁気回路の磁気ギャップＧの形状に対応した形状に形成されており、本実施形態では円筒形状に形成されている。【００２８】
ボイスコイル３３から引き出された引出線４は、図２（Ａ），（Ｂ）に示すように、引出通路７を介して、フレーム５に設けられた端子部６に接続されている。また、引出線４は、引出通路７と端子部６の間に、屈曲形状の余長部４１が規定されている。この引出線４の余長部４１は、磁気回路２のヨーク２１の一部を迂回するような形状に規定されている。【００２９】
本実施形態に係る引出線４は、例えば図１，２に示すように、ボイスコイル３３の下端部から引き出され、引出通路７を介してフレーム５の内周部に向かって延出し、フレーム５の内周部近傍で周方向に沿って端子部６に向かって屈曲し、この屈曲部４２からフレーム５の内周面に沿って端子部６に向かって弧形状に延出して、端子部６に導通した状態で固定されている。【００３０】
より具体的には、図１，２に示すように、引出線４は、ボイスコイル３３の引出位置から引出通路７を通って、径方向外側に向かって延出した後、前記引出線４が延出する方向に対し、約９０度〜約１６０度程度、略ボイスコイルの周方向に屈曲し、その屈曲部４２から略ボイスコイルの周方向に沿って、所定長さの余長部４１が形成されるように、ボイスコイル３３に対して径方向に沿って規定距離離れた位置に形成された端子部６まで延出されている。【００３１】
また、図１に示すように、ボイスコイル３３から一対の引出線４が引き出されており、この一対の引出線４は、ボイスコイル３３の中心点に対して略点対称な形状に規定されている。
ボイスコイル３３と端子部６の間の引出線４の形状（経路）は、ボイスコイル３３の重量バランスに比較的大きく影響するが、上記構成の引出線４の形状では、一対の引出線４が、ボイスコイル３３の中心点に対して略点対称な形状に規定されているので、ボイスコイル３３に一対の引出線の支持力が作用し、ボイスコイル３３のバランスを確保することができ、ボイスコイル３３の不要な振動を低減することができる。また、一対の引出線４のみを注視すれば、ボイスコイルの重量バランス、又は振動体の重量バランスをできるだけ確保できるよう、一対の引出線４が互いに略点対称な位置に配置されている。【００３２】
また、引出線４は、ボイスコイル３３の巻き始めから巻き終わりまでの導電線に起因するボイスコイル３３の重心の偏りがあるため、そのボイスコイル３３の重心の偏りに応じて、ボイスコイル３３のバランスが取れるように、当該引出線４の形状が規定されている。【００３３】
また、引出線４は、図１，２に示すように、余長部４１がエッジ３２とフレーム５の間に位置するように規定されている。【００３４】
また、ボイスコイル３３から引き出された引出線４は、複数の屈曲部を有する。引出線４が複数の屈曲部を備えるので、引出線４がボイスコイル３３を支持する支持力が比較的大きくなり、ローリング現象等の異常振動の発生を抑止できる。また、ボイスコイル３３のバランスを確保することができる。
また、引出線４は、規定の剛性（弾性）を有し、屈曲部が形成されているので、引出線４はボイスコイル３３に対して、例えば横揺れを制動するように支持している。【００３５】
フレーム５は、振動体３を支持するとともに磁気回路２を内在する。本実施形態に係るフレーム５は、図１，２に示すように、断面Ｕ字形状に形成され、平面状の底部５Ｂ上に磁気回路２が配置されている。また、フレーム５は、底部５Ｂから音響放射側に向かって延出された側部５Ｃが形成され、側部５Ｃの上端部５Ａには、エッジ３２の外周部が接着剤等により固着されている。フレーム５は、例えば樹脂等の規定材料により形成されている。【００３６】
フレーム５は、磁気回路２の引出通路７と端子部６の間に支持部５１が備えられている。支持部５１は、フレーム５の規定位置に突出した形状に形成されており、引出線４に接触（当接）して、引出線４を支持する。また、支持部５１は、ボイスコイル３３から引出線４を介して端子部６に伝導する振動や応力を低減することが可能である。
本実施形態に係る支持部５１は、例えば、図１に示すように、引出線４の余長部の外周側に位置するように形成されており、引出線４に当接して引出線４を支持している。【００３７】
端子部６は、フレーム５の規定位置に形成されており、ボイスコイル３３から引き出された引出線４の端部が電気的に接続されている。端子部６としては、例えば、鉄等の比較的高い導電性の金属を採用することができる。
本実施形態に係る端子部６は、図１，２に示すように、磁気回路２の引出通路７と端子部６間に、引出線４の余長部４１が配置される位置に形成されている。詳細には、一対の端子部６は、図１に示すように、ヨーク２１に形成された引出線４が通る２つの切欠部７１の位置から、略周方向に沿って規定距離だけ離れた位置に形成されている。また、この一対の端子部６は、ボイスコイル３３の中心軸に対して略点対称に形成されている。【００３８】
また詳細には、本実施形態に係る端子部６は、図１，２に示すように、内部端子部６１、および外部端子部６２を有する。内部端子部６１と外部端子部６２は、電気的に接続されている。内部端子部６１は、フレーム５の内周部に突出した形状に形成されている。外部端子部６２は、フレーム５の外周側に突出した形状に形成されており、例えばフレーム５の底部に突出形成されていてもよい。外部端子部６２は、例えば、音信号処理回路などの外部回路の端子部に電気的に接続可能である。【００３９】
具体的には、図１に示すように、引出線４が、引出通路７の切欠部７１の近傍のボイスコイル３３の下端部から引き出されて、引出通路７の切欠部７１を通って、略径方向外側に向かって延出したのち、周方向（音響放射側から見て左方向に）に屈曲して、所定の長さの余長部４１が形成されるように、端子部６の位置、および、支持部５１の位置が規定されている。【００４０】
次に、上記構成のスピーカ装置１の動作を、図面を参照しながら説明する。
スピーカ装置１では、端子部６から音声信号が入力されると、音声信号が端子部６の内部端子部６１に電気的に接続された引出線４を介して、ボイスコイル３３に入力される。ボイスコイル３３には、磁気回路２の磁気ギャップＧに形成されている磁束密度（磁界強度）と、ボイスコイル３３に入力された音声信号の電流レベルとに応じた電磁気力（ローレンツ力）が上下方向（音響放射方向又はその反対方向）に沿って発生する。ボイスコイル３３は、この電磁気力（ローレンツ力）を駆動力として音響放射方向又はその反対方向に沿って振動する。【００４１】
ボイスコイル３３を介して駆動力が振動板３１に伝達されると、振動体３は、その駆動力に応じて音響放射方向又はその逆方向に沿って振動する。上述したように、ボイスコイル３３の引出線４は、ヨーク２１に形成された引出通路７の切欠部７１を通って、ヨーク２１の側部２１Ｃの一部を迂回して余長をもたせて端子部６に接続されており、ボイスコイル３３の振動に追従して引出線４が変位する。【００４２】
上述したようにスピーカ装置１では、比較的薄型かつ小型の磁気回路２、振動体３、フレーム５等を有し、ボイスコイル３３が上下方向に沿って変位した場合であっても、引出線４が引出通路７を通って余長部をもたせて端子部６に接続されているので、例えば引出線４がヨーク２１、エッジ３２などの他の部材と接触することを低減することができる。【００４３】
詳細には、例えば図２に示すように、ボイスコイル３３から引き出された引出線４を、単純に、ヨーク２１の上端部とエッジ３２の間が通って端子部６に接続すると、ヨーク２１の上端部とエッジ３２の間隔が比較的狭いので、引出線４がエッジ３２に接触する虞がある。
一方、本発明に係るスピーカ装置１では、上述したように引出線４が通る引出通路７を磁気回路２に設けたので、ヨーク２１の上端部とエッジ３２の間隔が比較的狭い場合であっても、引出線４とエッジ３２の接触を低減することができる。【００４４】
また、スピーカ装置１では、そのような接触による異音の発生を低減することができる。つまり、比較的高音質の薄型のスピーカ装置、比較的高音質の小型のスピーカ装置を提供することができる。【００４５】
また、スピーカ装置１では、上述したような引出線４と他の部材との接触による、引出線４の断線を低減することができる。【００４６】
また、引出通路７の切欠部７１は、図１に示すように、ボイスコイル３３の中心軸に対して略点対称の位置に所定の間隔で形成されており、一対の引出線４が、ボイスコイル３３の中心点に対して略点対称な形状に規定されているので、ボイスコイル３３のバランスをとることができ、ボイスコイル３３の不要な振動を低減することができる。つまり、比較的高音質のスピーカ装置１を提供することができる。【００４７】
［第２実施形態］
図３は、本発明の第２実施形態に係るスピーカ装置１Ａの平面図である。第１実施形態と第２実施形態で同じ構成等については、説明を省略する。
本実施形態に係るスピーカ装置１Ａでは、図３に示すように、ボイスコイル３３と端子部６の間に設けられた支持部５１Ａが、第１実施形態と比べて、引出通路７の切欠部７１の近傍に形成されている。また、支持部５１Ａは、引出線４の屈曲部４２の内周側に位置している。【００４８】
上記構成のスピーカ装置１Ａによれば、支持部５１Ａが、引出通路７の切欠部７１の近傍に形成され、引出線４の屈曲部４２の内周側に位置しているので、引出線４の屈曲部を容易に屈曲部４２形成することができる。詳細には、例えば、ボイスコイル３３の引出線４は、初期状態では、直線状に引き出された形状である。ボイスコイル３３を磁気回路２の磁気ギャップＧに遊嵌する際に、ボイスコイル３３から引き出された引出線４を、支持部５１Ａに押し付けて屈曲させて屈曲部４２を形成した後、引出線４の端部を端子部６に接続することで、容易に上記形状の引出線４を得ることができる。【００４９】
［第３実施形態］
図４は、本発明の第３実施形態に係るスピーカ装置１Ｂの平面図である。図５は、図４に示したスピーカ装置１Ｂの視認方向Ｄ１からみた断面図である。第１〜第３実施形態で同じ構成等については、説明を省略する。【００５０】
本実施形態に係るスピーカ装置１Ｂは、図４，５に示すように、第１の支持部５１および第２の支持部５２を有する。第１の支持部５１は第１実施形態に係る支持部５１と同じ構成要素である。【００５１】
第２の支持部５２は、第２実施形態に係る支持部５１Ａと略同じ位置に形成されており、支持部５１Ａの機能と略同じである。また、本実施形態に係る第２の支持部５２は、図５に示すように、逆Ｌ字型に形成されている。【００５２】
上記構成のスピーカ装置１Ｂでは、上述した逆Ｌ字形状の第２の支持部５２と、支持部５１とを設けたので、スピーカ駆動時に、引出線４が振動した場合であっても、端子部との接合部にストレスが作用すること、端子部から引出線４が外れることを抑止することができる。【００５３】
［第４実施形態］
図６は本発明の第４実施形態に係るスピーカ装置１Ｃの平面図である。図７は図６に示したスピーカ装置１Ｃの断面図である。図８は図７に示したスピーカ装置１Ｃの引出線４付近の拡大断面図である。図９は図６に示したスピーカ装置１Ｃの磁気回路２Ｃの分解斜視図である。図６において、スピーカ装置１Ｃの振動板とエッジは省略している。また、第１〜第４実施形態で同じ構成等については、説明を省略する。【００５４】
本実施形態に係るスピーカ装置１Ｃは、図６に示すように、磁気回路２Ｃ、ボイスコイル３３Ｃ、およびフレーム５を有する。【００５５】
本実施形態に係る磁気回路２Ｃは、例えば図６，９に示すように、音響放射方向から視認すると、略矩形状に形成されている。磁気回路２Ｃは、略矩形状の底面部２１Ａと、底面部２１Ａの端部から音響放射側に向って屈曲した形状の屈曲部２１Ｂと、その屈曲部２１Ｂから音響放射側に向って延出した側部２１Ｃを有する。
本実施形態に係る磁気回路２Ｃは、略矩形状の角部に引出通路７が形成されている。詳細には、ヨーク２１の４つの角部には、切欠部７１が形成されている。図６に示すように、ヨーク２１の４つの角部のうち、少なくとも対向する２つの角部に引出線４が通る引出通路７が形成されている。【００５６】
ボイスコイル３３Ｃは、図６に示すように、音響放射方向から視認すると、直線部３３１と曲線部３３２を備える略矩形状に形成されている。ボイスコイル３３Ｃは、磁気回路２の磁気ギャップＧに遊嵌されている。ボイスコイル３３Ｃから引き出される引出線４は、例えば、引き出し部にかかる応力を、なるべく低くするために、直線部３３１から引き出されることが好ましい。【００５７】
フレーム５は、図６に示すように、磁気回路２の引出通路７が形成されていない角部の近傍に、端子部６Ｃが形成されている。詳細には、端子部６Ｃは、図６〜８に示すように、フレーム内に形成された内部端子部６１と、フレーム外に形成された外部端子部６２とを有し、内部端子部６１と外部端子部６２が電気的に接続されている。【００５８】
また、フレーム５は、図６に示すように、磁気回路２Ｃの引出通路７と端子部６Ｃの間に、引出線４を支持する支持部５１Ｃを有する。
支持部５１Ｃは、フレーム５の規定位置に突出した形状に形成されており、引出線４に接触（当接）して、引出線４を支持する。本実施形態に係る支持部５１Ｃは、引出線４の余長部４１の内周側に位置している。【００５９】
本実施形態に係る引出線４は、略矩形状のボイスコイル３３の角部近傍から引き出され、引出通路７の切欠部７１を通り、略短軸方向に沿って屈曲して端子部６に固定される。
本実施形態に係る屈曲部４２は、図６に示すうように、複数の屈曲部４２Ａ，４２Ｂを有する。引出線４が複数の屈曲部４２Ａ，４２Ｂを備えるので、引出線４がボイスコイル３３Ｃを支持する支持力が比較的大きくなり、ローリング現象等の異常振動の発生を抑止できる。また、ボイスコイル３３のバランスを確保することができる。【００６０】
また、ボイスコイル３３Ｃの引出線４は、初期状態（音声信号のレベルがゼロの場合）では、例えば図８に示すように、ボイスコイル３３Ｃの下端部近傍から引き出されて、引出通路７を通り、引出位置から斜め上方向に向って延出したのち屈曲して、引出位置と略同じ水平位置に設けられた内部端子部６１に導通した状態で固定されている。つまり、引出線４は、引出通路７の切欠部７１を通り、ヨーク２１の一部を迂回して端子部６に接続されている。【００６１】
上記構成のスピーカ装置１Ｃでは、引出線４が上記形状に形成されているので、ボイスコイル３３が振動した場合であっても、引出線４が、エッジ３２、ヨーク２１、等の他の部材に接触することが抑止される。【００６２】
スピーカ装置１Ｃは、図８に示すように、エッジ３２とヨーク２１の間隔が比較的狭い構造の薄型のスピーカ装置であるが、ボイスコイル３３の引出線４が磁気回路２の引出通路７を通り、内部端子部６１に接続されているので、引出線４とエッジ又はヨーク等の部材との接触による音質の劣化を低減することができる。
また、本実施形態では、エッジ３２の頂部３４よりもフレーム側に余長部４１が配置されていることによって、エッジ３２と余長部４１とが接触することを抑止することができる。また、この余長部がヨーク４側に配置されていても構わない。【００６３】
［引出通路の具体例］
図１０（Ａ）は、本発明の第１具体例に係るスピーカ装置の引出通路の側面図である。図１０（Ｂ）は、本発明の第２具体例に係るスピーカ装置の引出通路の側面図である。
磁気回路２Ｃに形成された引出通路７は、例えば図１０（Ａ）に示すように、ヨーク２１の上端部２１Ｄから底面部２１Ａかけて切欠部７１が形成されていてもよい。また、磁気回路２Ｃの引出通路７は、例えば図１０（Ｂ）に示すように、ヨーク２１の上端部２１Ｄから底面部２１Ａに向って、所定距離だけ切欠部７１が形成されていてもよい。
磁気回路２Ｃは、ボイスコイル３３が振動した場合であっても、引出線４が、引出通路７の切欠部７１に接触しない構造を有する。【００６４】
［ボイスコイルのバランス］
図１１（Ａ）は本発明の一実施形態に係るスピーカ装置のボイスコイル３３Ｄを説明するための正面図であり、図１１（Ｂ）は図１１（Ａ）に示したボイスコイルの導電線４０１の巻き始め位置付近の拡大図であり、図１１（Ｃ）は図１１（Ａ）に示したボイスコイルの導電線４０１の巻き終り位置付近の拡大図である。
また、図１１（Ｄ）及び図１１（Ｅ）それぞれは、図１１（Ｂ）及び図１１（ｃ）に示したボイスコイルの変形例である。【００６５】
本発明の一実施形態に係るボイスコイル３３Ｄは、図１１（Ａ）〜（Ｃ）に示すように、一対の引出線４が、ボイスコイル３３Ｄの中心点Ｏに対して略点対称な形状に規定されている。
また、引出線４は、ボイスコイル３３Ｄの巻き始めから巻き終わりまでの導電線４０１に起因するボイスコイルの重心ＣＧが中心位置Ｏに対して異なる位置にあるため、当該ボイスコイル３３Ｄのバランスが取れるように、引出線４の形状が規定されている。また、一対の引出線４のみを注視すれば、ボイスコイルの重量バランス、又は振動体の重量バランスをできるだけ確保できるように、一対の引出線４が互いに略点対称な位置に配置されている。【００６６】
詳細には、ボイスコイル３３Ｄは、図１１（Ａ）〜（Ｅ）に示すように、導電線４０１が、矩形状の角部近傍の巻き始め位置４０１Ｓから巻き始まり、所定回数（Ｎ回）だけ巻き回したのち、その対向する角部付近の巻き終り位置４０１Ｅで巻き終る。この際、ボイスコイル３３Ｄでは、導電線４０１が巻き始め位置４０１Ｓから巻き終り位置４０１Ｅまでの導電線４０１の分だけ、重心ＣＧが、ボイスコイル３３の中心位置Ｏから偏っている。【００６７】
重心ＣＧがボイスコイル３３の中心位置Ｏから偏っているので、当該ボイスコイル３３Ｄのバランスが取れるように、当該引出線４の形状が規定されている。
具体的には、例えば図１１（Ａ）〜（Ｅ）に示すように、ボイスコイル３３Ｄの重心位置ＣＧ、および引出線４の屈曲部４２の位置が、ボイスコイル３３Ｄ中心点Ｏを通る対角線ＤＬを挟んで互いに反対側となるように規定されている。
上記構成のボイスコイル３３Ｄでは、一対の引出線４の屈曲部４２の形状を、引出線４の線密度を考慮して、ボイスコイル３３Ｄのバランスを取れるように規定されている。【００６８】
本発明の一実施形態に係るスピーカ装置では、上記構成のボイスコイル３３Ｄを採用することにより、バランスを取ることができ、音質の低減を防止することができる。【００６９】
［第５実施形態］
図１２は、本発明の第５実施形態に係るスピーカ装置１Ｆの平面図である。第４実施形態と第５実施形態で同じ構成等については、説明を省略する。
本実施形態に係るスピーカ装置１Ｆは、図１２に示すように、第４実施形態に係る支持部５１がヨークの短軸の中心付近に形成されていた場合と比べて、支持部５１Ｅが端子部６Ｆの近傍に形成されている。また、本実施形態に係る引出線４Ｆは、支持部５１Ｅの形成位置に応じた屈曲形状に形成されている。【００７０】
上記構成のスピーカ装置１Ｆでは、第４実施形態と比べて、引出通路７と支持部５１Ｅ間の引出線４Ｆの長さが比較的長いので、比較的制動性がよい。
また、支持部５Ｅが端子部６Ｆの近傍に配置されているので、引出線に振動が発生すること、引出線４と端子部６Ｆとの接合部にストレス等が作用すること、引出線４が端子部６Ｆから外れること等を抑止することができる。【００７１】
［第６実施形態］
図１３は、本発明の第６実施形態に係るスピーカ装置１Ｇの平面図である。第４〜第６実施形態で同じ構成等については、説明を省略する。
本実施形態に係るスピーカ装置１Ｇは、図１３に示すように、磁気回路２Ｇの引出通路７が、ヨーク２１Ｇの短軸の中心付近に形成されている。また、端子部６Ｇは、略矩形状の磁気回路２Ｇの角部付近に形成されており、この端子部６Ｇの近傍に支持部５１Ｇが形成されている。
ボイスコイル３３Ｇから引き出された引出線４は、引出通路７Ｇの切欠部７１Ｇを通って、端子部６Ｇに向かって屈曲したのち支持部５１Ｇに当接して、端子部６Ｇに導通した状態で固定されている。【００７２】
上記構成のスピーカ装置１Ｇでは、第４，５実施形態と比べて、引出線の余長部の収納スペースを低減することができる。
また、引出線４は、ボイスコイル３３Ｇを長軸に沿って支持するので、第４，５実施形態と比べて、制動性が比較的大きい。【００７３】
本発明は、上述した実施形態に限られるものではない。各種形態により本発明を実施してもよい。また、上記各実施形態を組み合わせて、本発明を実施してもよい。
例えば、本発明に係るスピーカ装置の磁気回路としては、外磁型磁気回路を採用してもよい。この外磁型磁気回路は、例えば、中央部にセンターポールが形成されたヨークと、そのヨークのセンターポールに嵌合されたリング状の磁石と、前記リング状の磁石上に形成された、リング状のプレートとを有し、少なくとも磁石とプレートのいずれか一方に引出通路の切欠部が形成されている。
上記構成の外磁型磁気回路を採用したスピーカ装置では、磁気回路に遊嵌されたボイスコイルから引き出された引出線が、引出通路の切欠部を通って、フレームに形成された端子部に接続されるので、引出線が他の部材に接触することを低減することができる。【００７４】
また、上述した実施形態では、磁気回路２の引出通路７は、ヨークに形成された切欠部（開口部）を採用したが、この形態に限られるものではない。例えば、磁気回路の引出通路は、内磁型磁気回路のヨークの側部に形成された貫通孔であってもよい。内磁型磁気回路に形成された磁気ギャップに遊嵌されたボイスコイルから引き出された引出線は、ヨークに形成された貫通孔を通って、フレームに形成された端子部に接続されている。上記構成のスピーカ装置では、磁気ギャップに略均一な磁場強度を印加することができる。【００７５】
また、第４実施形態に係るスピーカ装置のボイスコイルは、略矩形状に形成されていたが、この形態に限られるものではない。例えば、ボイスコイルは、少なくとも直線部を備えるトラック形状、略矩形状、楕円形状、または円形状など、スピーカの形状に応じた形状に規定してもよい。
また、上述した実施形態では、引出線４は支持部５１に当接されているが、これに限定されず、引出線４が支持部５１に当接されていなくても構わない。また、支持部５１がフレーム５に配置されているが、これに限定されず、支持部５が配置されていなくても構わない。【００７６】
以上、説明したように、本発明に係るスピーカ装置１は、ボイスコイル３３が遊嵌する磁気ギャップが形成された磁気回路２と、ボイスコイル３３に直接又は間接的に固着された振動体３と、該振動体３を支持するとともに磁気回路２を内在するフレーム５と、ボイスコイル３３の引出線４が接続される端子部６とを有し、磁気ギャップＧに遊嵌したボイスコイル３３と、フレーム５に設けられた端子部６との間に、ボイスコイル３３から引き出された引出線４が通る引出通路７が配置されているので、比較的薄型、小型のスピーカ装置であっても、引出線４と他の部材との接触による異音の発生を低減することができる。また、ボイスコイルの引出線の断線を低減することができる。
【図１】
2009016743.tif 000003
【図２】
2009016743.tif 000004
【図３】
2009016743.tif 000005
【図４】
2009016743.tif 000006
【図５】
2009016743.tif 000007
【図６】
2009016743.tif 000008
【図７】
2009016743.tif 000009
【図８】
2009016743.tif 000010
【図９】
2009016743.tif 000011
【図１０】
2009016743.tif 000012
【図１１】
2009016743.tif 000013
【図１２】
2009016743.tif 000014
【図１３】
2009016743.tif 000015
【手続補正書】
【提出日】平成21年6月1日(2009.6.1)
【手続補正１】
【補正対象書類名】特許請求の範囲
【補正対象項目名】全文
【補正方法】変更
【補正の内容】
【特許請求の範囲】
【請求項１】
ボイスコイルが遊嵌する磁気ギャップが形成された磁気回路と、前記ボイスコイルに直接又は間接的に固着された振動体と、該振動体を支持するとともに前記磁気回路を内在するフレームと、前記ボイスコイルの引出線が接続される端子部とを備え、
前記磁気ギャップに遊嵌したボイスコイルと、前記フレームに設けられた前記端子との間に、前記ボイスコイルから引き出された引出線が通る引出通路が配置され、
一対の前記引出線は、前記引出通路内で前記ボイスコイルの中心点に対して略点対称な屈曲形状に規定されていることを特徴とするスピーカ装置。
【請求項２】
前記引出線は前記ボイスコイルの下端部から引き出されており、
前記磁気回路は、前記磁気ギャップに対し連続し且つ前記フレームに向かって延在する切欠部が形成され、
前記引出通路は、前記切欠部と当該切欠部に連続して前記振動体と前記磁気回路の外側と前記フレームの内側で囲まれた空間にて形成され、
前記空間内で前記引出線が支持されていることを特徴とする請求項１に記載のスピーカ装置。
【請求項３】
前記磁気回路及び前記フレームは短軸と長軸で規定される形状を有し、
前記空間が前記短軸方向に沿って形成されていることを特徴とする請求項２記載のスピーカ装置。
【請求項４】
前記引出線は、前記切欠部を通過した先で屈曲し、前記空間を通って前記端子部に接続されていることを特徴とする請求項３記載のスピーカ装置。
【請求項５】
前記空間内で前記短軸方向に沿って支持される前記引出線の一部は、前記エッジの頂部から前記フレーム側に配置されることを特徴とする請求項４記載のスピーカ装置。
【請求項６】
前記振動体は、振動板と音響放射方向に向かって凹状の頂部を有して前記振動板を前記フレームに支持するエッジとを備え、
前記空間は前記エッジの下に形成され、前記フレームと前記エッジの頂部との間で前記引出線が屈曲していることを特徴とする請求項５記載のスピーカ装置。
【請求項７】
前記端子部は、前記空間内に配置されていると共に、前記フレームに取り付けられていることを特徴とする請求項６記載のスピーカ装置。
【請求項８】
前記引出線の屈曲位置は、前記ボイスコイルの下端部及び前記端子部よりも高いことを特徴とする請求項７に記載のスピーカ装置。
【請求項９】
前記切欠部は、前記磁気回路のヨークの角部近傍に形成されることを特徴とする請求項８記載のスピーカ装置。
【請求項１０】
前記引出線のうち、前記ボイスコイルから引き出される一方の前記引出線は、その引出位置の近傍にて形成されて前記端子部と接続する先端部に近づく方向に屈曲する第１の屈曲部と、当該第１の屈曲部に連続して形成され前記先端部から離れる方向に屈曲する第２の屈曲部とを有することを特徴とする請求項１に記載のスピーカ装置。
【請求項１１】
前記ボイスコイルは短軸及び長軸で規定される形状に形成され、
前記引出線のうち、前記ボイスコイルから引き出される他方の前記引出線は、前記端子部と接続する先端部から離れる方向に屈曲する屈曲部を有することを特徴とする請求項１０に記載のスピーカ装置。
【請求項１２】
前記ボイスコイルは矩形状に形成され、
前記一対の引出線が有するそれぞれの屈曲部は、前記ボイスコイルの対角線で区切られる２つの領域の一方側に配置され、その他方側に前記ボイスコイルの重心位置が配置されていることを特徴とする請求項１１に記載のスピーカ装置。
【請求項１３】
前記振動体は、振動板と音響放射方向に向かって凹状の頂部を有して前記振動板を前記フレームに支持するエッジとを備え、
前記引出通路は、前記切欠部と当該切欠部に連続して前記振動体と前記磁気回路の外側と前記フレームの内側で囲まれた空間にて形成され、
前記空間は前記エッジの下に形成され、
前記空間のうち、前記フレームと前記エッジの頂部との間にて、前記一方の引出線における第２の屈曲部及び前記他方の引出線の屈曲部が形成されていることを特徴とする請求項１２記載のスピーカ装置。
【請求項１４】
前記磁気回路及び前記フレームは短軸と長軸で規定される形状を有し、
前記空間が前記短軸方向に沿って形成されていることを特徴とする請求項１３記載のスピーカ装置。
【請求項１５】
前記ボイスコイルは、短軸と長軸で規定される形状を有し、
前記引出線のうち、一方の前記引出線の引出位置が、前記切欠部の近傍における、前記長軸に沿った前記ボイスコイルの一部に設けられており、
前記一方の引出線は、前記長軸に沿った前記ボイスコイルの一部に沿って、前記引出位置から前記切欠部に向かって延びていることを特徴とする請求項２に記載のスピーカ装置。
【請求項１６】
前記切欠部は、前記磁気回路のヨークが有する複数の角部の間に形成されることを特徴とする請求項８記載のスピーカ装置。
【請求項１７】
請求項１に記載のスピーカ装置を備えることを特徴とする携帯電話機器。
【手続補正２】
【補正対象書類名】明細書
【補正対象項目名】０００２
【補正方法】変更
【補正の内容】
【０００２】
課題を解決するための手段
［０００６］
このような目的を達成するために、本発明は、以下の各独立請求項に係る構成を少なくとも具備するものである。
［０００７］
本発明に係るスピーカ装置は、ボイスコイルが遊嵌する磁気ギャップが形成された磁気回路と、前記ボイスコイルに直接又は間接的に固着された振動体と、該振動体を支持するとともに前記磁気回路を内在するフレームと、前記ボイスコイルの引出線が接続される端子部とを備え、前記磁気ギャップに遊嵌したボイスコイルと、前記フレームに設けられた前記端子との間に、前記ボイスコイルから引き出された引出線が通る引出通路が配置され、一対の前記引出線は、前記引出通路内で前記ボイスコイルの中心点に対して略点対称な屈曲形状に規定されていることを特徴とする。
図面の簡単な説明
［０００８］
［図１］本発明の第１実施形態に係るスピーカ装置１の平面図である。
［図２］（Ａ）は図１に示したスピーカ装置１の視認方向Ｄ１からみた断面図であり、（Ｂ）は図１に示したスピーカ装置１の視認方向Ｄ２からみた図である。
［図３］本発明の第２実施形態に係るスピーカ装置１Ａの平面図である。
［図４］本発明の第３実施形態に係るスピーカ装置１Ｂの平面図である。
［図５］図４に示したスピーカ装置１Ｂの視認方向Ｄ１からみた断面図である。
［図６］本発明の第４実施形態に係るスピーカ装置１Ｃの平面図である。
［図７］図６に示したスピーカ装置１Ｃの断面図である。
［図８］図７に示したスピーカ装置１Ｃの引出線４付近の拡大断面図である。
［図９］図６に示したスピーカ装置１Ｃの磁気回路２Ｃの分解斜視図である。
［図１０］（Ａ）は本発明の第１具体例に係るスピーカ装置の引出通路の側面図であり、（Ｂ）は本発明の第２具体例に係るスピーカ装置の引出通路の側面図である。
［図１１］（Ａ）は本発明の一実施形態に係るスピーカ装置のボイスコイル３３Ｄを説明するための正面図であり、（Ｂ）は（Ａ）に示したボイスコイルの導電線４０１の巻き始め位置付近の拡大図であり、（Ｃ）は（Ａ）に示したボイスコイルの導電線４０１の巻き終り位置付近の拡大図であり、（Ｄ）は（Ｂ）に示したボイスコイルの変形例であり、（Ｅ）は（Ｃ）に示したボイスコイルの変形例である。
【手続補正書】
【提出日】平成22年1月20日(2010.1.20)
【手続補正１】
【補正対象書類名】特許請求の範囲
【補正対象項目名】全文
【補正方法】変更
【補正の内容】
【特許請求の範囲】
【請求項１】
ボイスコイルが遊嵌する磁気ギャップが形成された磁気回路と、前記ボイスコイルに直接又は間接的に固着された振動体と、該振動体を支持するとともに前記磁気回路を内在するフレームと、前記ボイスコイルの引出線が接続される端子部とを備え、
前記磁気ギャップに遊嵌したボイスコイルと、前記フレームに設けられた前記端子との間に、前記ボイスコイルから引き出された引出線が通る引出通路が配置され、
一対の前記引出線は、前記引出通路内で前記ボイスコイルの中心点に対して略点対称な屈曲形状に規定されており、
前記引出線は前記ボイスコイルの下端部から引き出されており、
前記磁気回路は、前記磁気ギャップに対し連続し且つ前記フレームに向かって延在する切欠部が形成され、
前記引出通路は、前記切欠部と当該切欠部に連続して前記振動体と前記磁気回路の外側と前記フレームの内側で囲まれた空間にて形成され、
前記空間内で前記引出線が支持されており、
前記振動体は、振動板と音響放射方向に向かって凹状の頂部を有して前記振動板を前記フレームに支持するエッジとを備え、
前記空間は前記エッジの下に形成され、前記フレームと前記エッジの頂部との間で前記引出線が屈曲し、前記空間を通って前記端子部に接続されていることを特徴とするスピーカ装置。
【請求項２】
前記磁気回路及び前記フレームは短軸と長軸で規定される形状を有し、
前記空間が前記短軸方向に沿って形成されていることを特徴とする請求項１記載のスピーカ装置。
【請求項３】
前記端子部は、前記空間内に配置されていると共に、前記フレームに取り付けられていることを特徴とする請求項１又は２記載のスピーカ装置。
【請求項４】
前記引出線の屈曲位置は、前記ボイスコイルの下端部及び前記端子部よりも高いことを特徴とする請求項１〜３のいずれかに記載されたスピーカ装置。
【請求項５】
前記切欠部は、前記磁気回路のヨークの角部又は該角部の近傍に形成されることを特徴とする請求項１〜４のいずれかに記載のスピーカ装置。
【請求項６】
前記引出線のうち、前記ボイスコイルから引き出される一方の前記引出線は、その引出位置の近傍にて形成されて前記端子部と接続する先端部に近づく方向に屈曲する第１の屈曲部と、当該第１の屈曲部に連続して形成され前記先端部から離れる方向に屈曲する第２の屈曲部とを有することを特徴とする請求項１に記載のスピーカ装置。
【請求項７】
前記ボイスコイルは短軸及び長軸で規定される形状に形成され、
前記引出線のうち、前記ボイスコイルから引き出される他方の前記引出線は、前記端子部と接続する先端部から離れる方向に屈曲する屈曲部を有することを特徴とする請求項６に記載のスピーカ装置。
【請求項８】
前記ボイスコイルは矩形状に形成され、
前記一対の引出線が有するそれぞれの屈曲部は、前記ボイスコイルの対角線で区切られる２つの領域の一方側に配置され、その他方側に前記ボイスコイルの重心位置が配置されていることを特徴とする請求項７に記載のスピーカ装置。
【請求項９】
前記空間のうち、前記フレームと前記エッジの頂部との間にて、前記一方の引出線における第２の屈曲部及び前記他方の引出線の屈曲部が形成されていることを特徴とする請求項８記載のスピーカ装置。
【請求項１０】
前記引出線のうち、一方の前記引出線の引出位置が、前記切欠部の近傍における、前記長軸に沿った前記ボイスコイルの一部に設けられており、
前記一方の引出線は、前記長軸に沿った前記ボイスコイルの一部に沿って、前記引出位置から前記切欠部に向かって延びていることを特徴とする請求項９に記載のスピーカ装置。
【請求項１１】
請求項１に記載のスピーカ装置を備えることを特徴とする携帯電話機器。
【請求項１２】
請求項１に記載のスピーカ装置を備えることを特徴とするイヤホン。
【国際調査報告】
2009016743.tif 000016
2009016743.tif 000017
2009016743.tif 000018
2009016743.tif 000019